(57)【要約】マイクロプロセッサ１１０、これに接続されたスクリーン１２０、マイクロホン１３０及びメモリ１４０を含む仮想現実機器、その入力制御方法では、マイクロプロセッサは、マイクロホンが収集した音声情報の語義を認識しテキスト情報に変換し、スクリーンにおけるカーソルの有無を検出し、有りの時、テキスト情報をスクリーンのカーソル位置に入力し、無しの時、テキスト情報をメモリ内のキーワードと比較し、ビジュアルインターフェース操作を実行する操作コマンドがあれば、これを実行し、アプリケーション又はファイルを開くことに対応する操作コマンドがあれば、残りのテキスト情報におけるアプリケーション名又はファイル名の有無を検出し、アプリケーション名又はファイル名があれば、アプリケーション又はファイルを開く。これによりユーザの仮想現実機器の操作利便性の向上、ヒューマンマシンインタラクションの最適化、仮想現実体験の向上が提供される。【選択図】図１
2019527889.tif 000002
【特許請求の範囲】
【請求項１】
マイクロプロセッサ、並びに、前記マイクロプロセッサに接続されたディスプレイスクリーン、マイクロホン及びメモリを含む仮想現実機器であって、
前記マイクロホンが、音声情報を収集するように構成されており、
前記メモリが、操作コマンド、アプリケーション名及びファイル名を含むキーワードを記憶するように構成されており、前記操作コマンドが、ビジュアルインターフェース操作を実行するコマンドと、アプリケーション又はファイルを開くことに対応するコマンドとを含むものであり、
前記マイクロプロセッサが、
前記マイクロホンにより収集された音声情報の語義を認識してテキスト情報に変換し、
前記ディスプレイスクリーンにカーソルが存在するか否かを検出し、カーソルが存在する場合、前記変換されたテキスト情報を前記ディスプレイスクリーンにおけるカーソル位置に入力し、カーソルが存在しない場合、前記テキスト情報を前記メモリにおけるキーワードと比較して、前記テキスト情報に操作コマンドがあるか否かを検出し、
操作コマンドであって、ビジュアルインターフェース操作を実行するコマンドを検出した場合、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報を前記ディスプレイスクリーンに表示するように構成されていることを特徴とする仮想現実機器。
【請求項２】
前記マイクロプロセッサが、ビジュアルインターフェース操作を実行するコマンドがあると判断した場合、バックグラウンドサービスプロセスによって対応するビジュアルインターフェース操作を実行し、アプリケーション又はファイルを開くコマンドがあると判断した場合、システムブロードキャストによって対応するアプリケーション又はファイルを開くことを特徴とする請求項１に記載の仮想現実機器。
【請求項３】
前記マイクロプロセッサが、更に、
前記メモリにおけるキーワードが検出された回数をリアルタイムにカウントし、前記キーワードを前記検出された回数が多い順に並び替え、
新しいアプリケーションをインストールするとき若しくは元のアプリケーションを削除するとき、又は、新しいファイルを書き込むとき若しくは元のファイルを削除するとき、前記メモリにおけるアプリケーション名又はファイル名を更新するように構成されていることを特徴とする請求項１に記載の仮想現実機器。
【請求項４】
前記マイクロホンが、１つのメインマイクロホン及び１つ以上の補助マイクロホンを含み、前記マイクロプロセッサが、更に、前記音声情報のノイズを前記１つ以上の補助マイクロホンにより収集された音声情報に基づいてフィルタアウトするように構成されていることを特徴とする請求項１に記載の仮想現実機器。
【請求項５】
前記仮想現実機器が、タッチスクリーン又はキーボードを更に含み、
前記カーソル位置に入力されたテキスト情報が正しくない場合、前記タッチスクリーン又は前記キーボードを介してカーソルを移動させることによりテキスト情報が修正されるか又はテキストが再入力されることを特徴とする請求項１に記載の仮想現実機器。
【請求項６】
ディスプレイスクリーン及びマイクロホンを含む仮想現実機器の入力制御方法であって、
操作コマンド、アプリケーション名及びファイル名を含むキーワードを予め記憶しておくステップであって、前記操作コマンドが、ビジュアルインターフェース操作を実行するコマンドと、アプリケーション又はファイルを開くことに対応するコマンドとを含むものである、前記ステップと、
前記マイクロホンを用いて音声情報を収集するステップと、
前記マイクロホンにより収集された音声情報に対して語義の認識を行ってテキスト情報に変換するステップと、
前記ディスプレイスクリーンにカーソルが存在するか否かを検出し、カーソルが存在する場合、前記変換されたテキスト情報を前記ディスプレイスクリーンにおけるカーソル位置に入力し、カーソルが存在しない場合、前記テキスト情報を予め記憶されたキーワードと比較するステップと、
前記テキスト情報に操作コマンドがあるか否かを検出し、操作コマンドであって、ビジュアルインターフェース操作を実行するコマンドを検出した場合、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報を前記ディスプレイスクリーンに表示するステップと、を含むことを特徴とする仮想現実機器の入力制御方法。
【請求項７】
前記対応するビジュアルインターフェース操作を実行することが、バックグラウンドサービスプロセスによって、対応するビジュアルインターフェース操作を実行することを含み、
前記対応するアプリケーション又はファイルを開くことが、システムブロードキャストによって、対応するアプリケーション又はファイルを開くことを含むことを特徴とする請求項６に記載の仮想現実機器の入力制御方法。
【請求項８】
前記キーワードが検出された回数をリアルタイムにカウントし、前記キーワードを検出された回数が多い順に並び替えると共に、その後、前記テキスト情報を予め記憶されたキーワードと比較する際に前記キーワードを検出された回数が多い順に順次比較するステップと、
新しいアプリケーションをインストールするとき若しくは元のアプリケーションを削除するとき、又は、新しいファイルを書き込むとき又は元のファイルを削除するときに、前記キーワードを更新するステップと、を更に含むことを特徴とする請求項６に記載の仮想現実機器の入力制御方法。
【請求項９】
前記マイクロホンが、１つのメインマイクロホン及び１つ以上の補助マイクロホンを含み、
前記方法が、
前記１つ以上の補助マイクロホンにより収集された音声情報に基づいて前記メインマイクロホンにより収集された音声情報のノイズをフィルタアウトするステップを更に含むことを特徴とする請求項６に記載の仮想現実機器の入力制御方法。
【請求項１０】
前記のカーソル位置に入力されたテキスト情報が正しくない場合、仮想現実機器のタッチスクリーン又はキーボードを介してカーソルを移動させることによりテキスト情報を修正するか又はテキストを再入力するステップを更に含むことを特徴とする請求項６に記載の仮想現実機器の入力制御方法。
【発明の詳細な説明】
【技術分野】
【０００１】
本発明は、仮想現実の技術分野に関し、特に、仮想現実機器及び仮想現実機器の入力制御方法に関する。
【背景技術】
【０００２】
仮想現実技術は、将来、我々の生活様式を変える新しいブレークスルーに発展する。しかし、現在のところ、仮想現実技術が本格的に消費者市場に参入するには、まだまだ道のりが長い。開発者が臨場感あふれるゲームやアプリケーションをユーザに提供するためには大きな技術的制限があり、その一部については未だに良い解決策がない。
【発明の概要】
【発明が解決しようとする課題】
【０００３】
現在利用されている様々な仮想現実装置は、ユーザと仮想世界との間の交流を依然として妨げている。仮想現実が直面する最大の課題は、仮想世界においてどのようにターゲットとやり取りするかということである。仮想現実が如何に入力制御を実現するかは、ヘッドマウント機器の開発者及びハードウェアメーカーにとって大きな課題である。既存のタッチスクリーン及び３Ｄ入力法でさえも、ユーザがコンテンツを入力するのに十分なほど便利なものではない。
【０００４】
上記問題に鑑みて、本発明は、従来の仮想現実機器がユーザにとってコンテンツを入力するのに十分なほど便利でないという問題を解決するための仮想現実機器及び仮想現実機器の入力制御方法を提供する。
【課題を解決するための手段】
【０００５】
上記目的に達するために、本発明の技術案は、下記のように実現される。
本発明の第一の側面によれば、マイクロプロセッサ、並びに、前記マイクロプロセッサに接続されたディスプレイスクリーン、マイクロホン及びメモリを含む仮想現実機器であって、
前記マイクロホンが、音声情報を収集するように構成されており、
前記メモリが、操作コマンド、アプリケーション名及びファイル名を含むキーワードを記憶するように構成されており、前記操作コマンドが、ビジュアルインターフェース操作を実行するコマンドと、アプリケーション又はファイルを開くことに対応するコマンドとを含むものであり、
前記マイクロプロセッサが、
前記マイクロホンにより収集された音声情報の語義を認識してテキスト情報に変換し、
前記ディスプレイスクリーンにカーソルが存在するか否かを検出し、カーソルが存在する場合、前記変換されたテキスト情報を前記ディスプレイスクリーンにおけるカーソル位置に入力し、カーソルが存在しない場合、前記テキスト情報を前記メモリにおけるキーワードと比較して、前記テキスト情報に操作コマンドがあるか否かを検出し、操作コマンドであって、ビジュアルインターフェース操作を実行するコマンドを検出した場合、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報を前記ディスプレイスクリーンに表示するように構成されている、仮想現実機器が提供される。
【０００６】
前記マイクロプロセッサが、更に、前記メモリにおけるキーワードが検出された回数をリアルタイムにカウントし、前記キーワードを前記検出された回数が多い順に並び替え、新しいアプリケーションをインストールするとき若しくは元のアプリケーションを削除するとき、又は、新しいファイルを書き込むとき若しくは元のファイルを削除するときに、前記メモリにおけるアプリケーション名又はファイル名を更新するように構成されている。
【０００７】
本発明の第二の側面によれば、ディスプレイスクリーン及びマイクロホンを含む仮想現実機器の入力制御方法であって、
操作コマンド、アプリケーション名及びファイル名を含むキーワードを予め記憶しておくステップであって、前記操作コマンドが、ビジュアルインターフェース操作を実行するコマンドと、アプリケーション又はファイルを開くことに対応するコマンドとを含むものである、前記ステップと、
前記マイクロホンを用いて音声情報を収集するステップと、
前記マイクロホンにより収集された音声情報に対して語義の認識を行ってテキスト情報に変換するステップと、
前記ディスプレイスクリーンにカーソルが存在するか否かを検出し、カーソルが存在する場合、前記変換されたテキスト情報を前記ディスプレイスクリーンにおけるカーソル位置に入力し、カーソルが存在しない場合、前記テキスト情報を予め記憶されたキーワードと比較するステップと、
前記テキスト情報に操作コマンドがあるか否かを検出し、操作コマンドであって、ビジュアルインターフェース操作を実行するコマンドを検出した場合、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報を前記ディスプレイスクリーンに表示するステップと、を含む、仮想現実機器の入力制御方法がさらに提供される。
【０００８】
さらに、前記方法が、
前記キーワードが検出された回数をリアルタイムにカウントし、前記キーワードを前記検出された回数が多い順に並び替え、その後、前記テキスト情報を予め記憶されたキーワードと比較する際に前記キーワードを検出された回数が多い順に順次比較するステップと、
新しいアプリケーションをインストールするとき若しくは元のアプリケーションを削除するとき、又は、新しいファイルを書き込むとき若しくは元のファイルを削除するときに、前記キーワードを更新するステップと、を更に含む。
【発明の効果】
【０００９】
本発明の有益な効果は、下記の通りになる。本発明によれば、仮想現実機器及び仮想現実機器の入力制御方法であって、当該仮想現実機器が、音声制御という方式により、テキストを入力すること、機器上でビジュアルインターフェース操作を実行すること、アプリケーションやファイルを開くことを実現し、ユーザの音声情報を自動的に認識して、ユーザがテキストを入力しようとしているのか、ビジュアルインターフェース操作を実行しようとしているのか、又は、アプリケーション若しくはファイルを開こうとしているのかを知的に判断した上で、更に、対応する操作を実行することができ、ユーザによる仮想現実機器の操作の利便性を向上させ、ヒューマンマシンインタラクションを最適化し、仮想現実体験を一層向上させる仮想現実機器及び仮想現実機器の入力制御方法が提供される。
【００１０】
しかも、本発明の実施例による仮想現実機器は、メモリ内のキーワードが検出された回数をリアルタイムにカウントし、キーワードを検出された回数が多い順に並び替え、その後、テキスト情報をメモリに予め記憶されたキーワードと比較する際にキーワードを検出された回数が多い順に順次比較することにより、比較効率を高めることもできる。
【図面の簡単な説明】
【００１１】
【図１】本発明の実施例による仮想現実機器の模式図である。
【図２】本発明の実施例による仮想現実機器の動作の論理フローチャートである。
【図３】本発明の実施例による仮想現実機器の入力制御方法のフローチャートである。
【発明を実施するための形態】
【００１２】
本発明の設計思想としては、仮想現実機器が、マイクロホンによって音声情報を収集し、音声情報の意味の認識を行ってテキスト情報に変換し、ディスプレイスクリーンにカーソルが存在することを検出すると、テキスト情報をカーソル位置に入力し、ディスプレイスクリーンにカーソルが存在しないことを検出すると、テキスト情報が操作コマンドであるか否かを検出し、テキスト情報が操作コマンドである場合、さらに、操作コマンドが、ビジュアルインターフェース操作を実行するコマンドであるか、又は、アプリケーション若しくはファイルを開くことに対応するコマンドであるかを判断して、それをシステム命令に変換して、対応する操作を実行する。これにより、ユーザによる仮想現実機器の操作の利便性が向上し、ヒューマンマシンインタラクションが最適化され、仮想現実体験が更に向上する。
【００１３】
本発明の目的、技術案及び利点が更に明白になるように、以下、図面を参照して、本発明の実施形態について更に詳しく説明する。
【００１４】
本発明の実施例は、図１に示すように、マイクロプロセッサ１１０、並びに、マイクロプロセッサ１１０に接続されたディスプレイスクリーン１２０、マイクロホン１３０及びメモリ１４０を含む仮想現実機器を提供する。
【００１５】
マイクロホン１３０は、音声情報を収集するように構成されている。
【００１６】
メモリ１４０は、操作コマンド、アプリケーション名及びファイル名を含むキーワードを記憶するように構成されており、前記操作コマンドが、ビジュアルインターフェース操作を実行するコマンドと、アプリケーション又はファイルを開くことに対応するコマンドとを含む。
【００１７】
マイクロプロセッサ１１０は、マイクロホン１３０により収集された音声情報の語義を認識してテキスト情報に変換するように構成されている。具体的には、マイクロプロセッサ１１０は、音声情報を符号化してデジタル信号に変換してから、音声認識アルゴリズム（ＡＳＲ）によって音声認識を実行し、ユーザセマンティクスを抽出して、テキスト情報に変換する。これは、従来技術であるため、繰り返して説明しない。
【００１８】
マイクロプロセッサ１１０は、ディスプレイスクリーン１２０にカーソルが存在するか否かを検出し、カーソルが存在する場合、変換されたテキスト情報をディスプレイスクリーン１２０におけるカーソル位置に入力し、カーソルが存在しない場合、テキスト情報をメモリ１４０におけるキーワードと比較して、テキスト情報に操作コマンドがあるか否かを検出し、操作コマンドであって、ビジュアルインターフェース操作を実行するコマンドを検出した場合、操作コマンドを対応するシステム命令に変換して、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報をディスプレイスクリーン１２０に表示するように構成されている。
【００１９】
上記から分かるように、本発明の実施例による仮想現実機器は、音声制御という方式により、テキストを入力すること、機器上でビジュアルインターフェース操作を実行すること、アプリケーションやファイルを開くことを実現し、ユーザの音声情報を自動的に認識して、ユーザがテキストを入力しようとしているのか、ビジュアルインターフェース操作を実行しようとしているのか、又は、アプリケーション若しくはファイルを開こうとしているのかを知的に判断した上で、更に、対応する操作を実行することができ、ユーザによる操作の利便性を向上させ、ヒューマンマシンインタラクションを最適化し、仮想現実体験を一層向上させる。
【００２０】
本発明の実施例において、仮想現実機器が無線ネットワークに接続する必要がある場合において、パスワードを入力する際に、音声認識によって得られたパスワードを、バックグラウンドサービスを介してカーソル位置に直接書き込むことができ、キーボードを用いて文字を入力しにくいという従来の仮想現実機器の問題を解決することができる。
【００２１】
本発明の実施例において、仮想現実機器が、タッチスクリーン又はキーボード（図示省略）を更に含み、
カーソル位置に入力されたテキスト情報が正しくない場合、タッチスクリーン又はキーボードによってカーソルを移動させて、テキスト情報が修正されるか又はテキストが再入力される。
【００２２】
本発明の実施例において、マイクロプロセッサ１１０は、ビジュアルインターフェース操作を実行するコマンドがあると判断した場合、バックグラウンドサービスプロセスによって、対応するビジュアルインターフェース操作を実行し、アプリケーション又はファイルを開くコマンドがあると判断した場合、システムブロードキャストによって、対応するアプリケーション又はファイルを開く。
【００２３】
図２に示すように、本発明の実施例による仮想現実機器の動作の論理的な流れは、次の通りである。
【００２４】
マイクロホンが音声情報を収集し、マイクロプロセッサが音声情報の語義を認識してテキスト情報に変換するとともに、ディスプレイスクリーンにカーソルが存在するか否かを検出する。
【００２５】
カーソルが存在する場合、テキスト情報をディスプレイスクリーンにおけるカーソル位置に入力する。カーソルが存在しない場合、テキスト情報に操作コマンドがあるか否かを検出する。
【００２６】
操作コマンドが存在しない場合、実行可能なコマンドがないというプロンプト情報をディスプレイスクリーンに表示する。操作コマンドが存在する場合、検出された操作コマンドが、ビジュアルインターフェース操作を実行するコマンドであるか、又は、アプリケーション若しくはファイルを開くことに対応するコマンドであるかを判断する。ビジュアルインターフェース操作を実行するコマンドであると判断すると、バックグラウンドサービスプロセスによって対応するビジュアルインターフェース操作を実行する。アプリケーション又はファイルを開くことに対応するコマンドであると判断すると、残りのテキスト情報にアプリケーション名又はファイル名が存在するか否かを検出する。アプリケーション名又はファイル名が存在する場合、システムブロードキャストによって対応するアプリケーション又はファイルを開く。アプリケーション名又はファイル名が存在しない場合、実行可能なコマンドがないというプロンプト情報をディスプレイスクリーンに表示する。
【００２７】
本発明の実施例において、ビジュアルインターフェース操作を実行するコマンドが、ページめくり、ビデオの一時停止、ビデオのレジューム再生等を含み、例えば、操作コマンドが「ページめくり」であると、マイクロプロセッサが、システムインターフェースを現在のインターフェースから次のインターフェースに切り換える。アプリケーション又はファイルを開くことに対応するコマンドが、例えば、「起動」、「開く」等であってもよい。
【００２８】
本発明の実施例において、マイクロホン１３０が、１つのメインマイクロホン及び１つ以上の補助マイクロホンを含み、マイクロプロセッサ１１０が、前記音声情報におけるノイズを、１つ以上の補助マイクロホンにより収集された音声情報に基づいてフィルタアウトすることで、音声認識の精度が向上する。具体的には、マイクロプロセッサ１１０には、音声ノイズ低減アルゴリズムが記憶されている。これは、従来技術であるため、繰り返して説明しない。
【００２９】
本発明の実施例において、マイクロプロセッサ１１０が、新しいアプリケーションをインストールするとき若しくは元のアプリケーションを削除するとき、又は、新しいファイルを書き込むとき若しくは元のファイルを削除するときに、メモリ１４０におけるアプリケーション名又はファイル名を更新するように構成されている。マイクロプロセッサ１１０は、更に、メモリ１４０におけるキーワードが検出された回数をリアルタイムにカウントし、キーワードを検出された回数が多い順に並び替え、即ち、キーワードの使用頻度が高い順に並び替え、その後、前記テキスト情報を予め記憶されたキーワードと比較する際にキーワードを検出された回数が多い順に順次比較するように構成されている。
【００３０】
仮想現実機器にビデオ又はゲームが蓄積され続けるほど、メモリ１４０におけるアプリケーション又はファイルがますます増える。キーワードを検出された回数が多い順に並び替えると、マイクロプロセッサが、次回、テキスト情報をメモリ１４０におけるキーワードと比較する際に、使用頻度の高いキーワードを優先的に比較することで、キーワードの比較効率が高められ、キーワードがすぐに見つかる。
【００３１】
本発明の実施例は、更に、ディスプレイスクリーン及びマイクロホンを含む仮想現実機器の入力制御方法を提供する。図３に示すように、前記方法は、
操作コマンド、アプリケーション名及びファイル名を含むキーワードを予め記憶しておくステップＳ３１０であって、前記操作コマンドが、ビジュアルインターフェース操作を実行するコマンドと、アプリケーション又はファイルを開くことに対応するコマンドとを含むものである、ステップＳ３１０と、
前記マイクロホンを用いて音声情報を収集するステップＳ３２０と、
前記マイクロホンにより収集された音声情報に対して語義の認識を行ってテキスト情報に変換するステップＳ３３０と、
前記ディスプレイスクリーンにカーソルが存在するか否かを検出し、カーソルが存在する場合、前記変換されたテキスト情報を前記ディスプレイスクリーンにおけるカーソル位置に入力し、カーソルが存在しない場合、前記テキスト情報を予め記憶されたキーワードと比較するステップＳ３４０と、
前記テキスト情報に操作コマンドがあるか否かを検出し、操作コマンドであって、ビジュアルインターフェース操作を実行するコマンドを検出した場合、対応するビジュアルインターフェース操作を実行し、操作コマンドであって、アプリケーション又はファイルを開くことに対応するコマンドを検出した場合、残りのテキスト情報にアプリケーション名又はファイル名が存在するか否かを検出し、アプリケーション名又はファイル名が存在することを検出すると、対応するアプリケーション又はファイルを開き、アプリケーション名又はファイル名が存在しないことを検出すると、実行可能なコマンドがないというプロンプト情報を前記ディスプレイスクリーンに表示するステップＳ３５０と、を含む。
【００３２】
本発明の実施例において、前記マイクロホンが、１つのメインマイクロホン及び１つ以上の補助マイクロホンを含み、前記方法は、前記１つ以上の補助マイクロホンにより収集された音声情報に基づき、前記メインマイクロホンにより収集された音声情報におけるノイズをフィルタアウトするステップを更に含むことで、音声認識の精度が向上する。
【００３３】
本発明の実施例において、前記方法は、前記のカーソル位置に入力されたテキスト情報が正しくない場合、仮想現実機器のタッチスクリーン又はキーボードによってカーソルを移動させて、テキスト情報を修正するか又はテキストを再入力するステップを更に含む。
【００３４】
本発明の実施例において、前記対応するビジュアルインターフェース操作を実行することが、バックグラウンドサービスプロセスによって、対応するビジュアルインターフェース操作を実行することを含み、前記対応するアプリケーション又はファイルを開くことが、システムブロードキャストによって、対応するアプリケーション又はファイルを開くことを含む。
【００３５】
本発明の実施例において、前記方法は、新しいアプリケーションをインストールするとき若しくは元のアプリケーションを削除するとき、又は、新しいファイルを書き込むとき若しくは元のファイルを削除するときに、前記キーワードを更新するステップを更に含む。
【００３６】
本発明の実施例において、前記方法は、前記キーワードが検出された回数をリアルタイムにカウントし、前記キーワードを検出された回数が多い順に並び替え、その後、前記テキスト情報を予め記憶されたキーワードと比較する際に前記キーワードを検出された回数が多い順に順次比較するステップを更に含むことで、比較効率が高められる。
【００３７】
要約すると、本発明の実施例による仮想現実機器及び仮想現実機器の入力制御方法によれば、仮想現実機器が、音声制御という方式により、テキストを入力すること、機器上でビジュアルインターフェース操作を実行すること、アプリケーションやファイルを開くことを実現し、ユーザの音声情報を自動的に認識して、ユーザがテキストを入力しようとしているのか、ビジュアルインターフェース操作を実行しようとしているのか、又は、アプリケーション若しくはファイルを開こうとしているのかを知的に判断した上で、更に、対応する操作を実行することができ、ユーザによる仮想現実機器の操作の利便性が向上し、ヒューマンマシンインタラクションを最適化し、仮想現実体験が一層向上する。
【００３８】
以上の説明は、あくまでも本発明の一実施形態にすぎず、本発明の上記教示の下で、当業者は、上記実施例に基づいて他の改良又は変形を行うことができる。当業者であれば、上記具体的な記載が単に本発明の目的をより良く解釈するためのものであり、本発明の保護範囲が特許請求の範囲に基づいて決定されるべきであることが理解されよう。
【図１】
2019527889.tif 000003
【図２】
2019527889.tif 000004
【図３】
2019527889.tif 000005
【国際調査報告】
2019527889.tif 000006
2019527889.tif 000007
2019527889.tif 000008
2019527889.tif 000009